(57)【要約】【課題】収納機能付き手道具の構造を提供する。【解決手段】  主に保持部、駆動部及び固定部で構成される収納付き機能の手道具である。保持部内に収納スペースを設け、該保持部の底部に封鎖部を設置する。該駆動部にやや太めの制止部及びやや細めの駆動ヘッド及び棒を具有する。該固定部を収納スペース内に設置し、固定部品及び阻止部を具有する。固定部品は穴を具有し、該穴の直径は制止部より小さく、駆動ヘッド及び棒より大きい。阻止部は一対のスチールボール及びその間に設置する弾性部品を具有し、弾性部品が両側にあるスチールボールを押すことで、収納スペース内部に圧迫する力が生じる。本体を使用する際、制止部は固定部で止まることで、本体は使用できる状態となる。収納する場合、駆動ヘッド及び棒は固定部品の穴を通り抜けることで、本体内部の収納スペースに収納することができる。該阻止部により駆動部を固定し、抜け出るのを防止する。【選択図】  図１
0003136002.tif 000002
【実用新案登録請求の範囲】
【請求項１】
保持部、駆動部及び固定部を含み、
該保持部の内部に収納スペースを具有し、該収納スペースに駆動部を収納し、及び、
該駆動部の片端は制止部、別端は駆動ヘッドを具有し、制止部と駆動ヘッドの間は棒の形状であり、制止部の直径は駆動ヘッド及び棒より大きい、及び、
該固定部を収納スペース内に設置し、該固定部は固定部品及び阻止部を含み、該固定部品に穴を設け、該穴の直径は制止部より小さく、駆動ヘッド及び棒よりも大きい、及び、
該固定部で制止部が止まることで使用できる状態となり、固定部品の穴に駆動ヘッド及び棒を通すと、駆動部を収納スペースに収納することができ、使用及び収納する際は、該阻止部により、駆動部の位置が固定されることを特徴とする収納機能付きの手道具の構造。
【請求項２】
前記保持部の底部に封鎖部を設け、本体が収納状態にある際、該封鎖部は駆動ヘッドと接触するため、該封鎖部を押すことで駆動部を取り出すことができることを特徴とする請求項１記載の収納機能付きの手道具の構造。
【請求項３】
前記封鎖部は蓋及び弾性体を含み、該蓋は弾性体の弾力の力を受けることを特徴とする請求項２記載の収納機能付きの手道具の構造。
【請求項４】
前記駆動部の制止部に軸方向の内側に収納槽を設け、該収納槽に別の駆動部を嵌合して組み立てられることを特徴とする請求項1或いは請求項２或いは請求項３記載の収納機能付きの手道具の構造。
【請求項５】
前記阻止部は弾性部品及び一対のスチールボールを含むことを特徴とする請求項１或いは請求項２或いは請求項３記載の収納機能付きの手道具の構造。
【請求項６】
前記駆動部の片端に駆動ヘッドを具有し、該駆動ヘッドはD字型或いはマイナス或いはプラスの形状であることを特徴とする請求項１或いは請求項２或いは請求項３記載の収納機能付きの手道具の構造。
【考案の詳細な説明】
【技術分野】
【０００１】
本考案案は収納機能付き手道具の構造に関し、その技術の特徴は、組み立てて使用できる或いは収納できる形状となる収納機能付き手道具の構造に関する。
【背景技術】
【０００２】
台湾は工業技術王国であり、製造から加工、メンテナンスまで、いずれも先進的な技術で精巧に製造するため、世界各国から信頼を得ている。自動車製造から電子製品の加工にいたるまで、台湾に大いなる収益をもたらしている。作業に用いる道具の一部は既に高度な技術を持つ機械や、危険な環境で作業できる道具に取って代われているが、基本的な加工とメンテナンスは、手道具なしでは作業を行うことができない。よって、各国の業者は、もっと簡易的でもっと人間工学に合う製造コストの低い手道具を研究開発し続けている。
【０００３】
公知の台湾特許申請案第M542058号『複合式手道具の改良』は、第一及び第二の保持部、本体を含み、第一及び第二の保持部の端にサポート装置を具有し、本体に大きめの筒型の端を具有し、該筒型端から小さめの筒型端を延伸する。大きめの筒型に左右二つの収納槽を設け、第一、第二保持部を収納でき、小さめの筒型端に更にサポート装置を設ける。
【０００４】
しかし、この類の手道具の収納構造は、ドライバーのヘッドを収納でき、プロテクトと分類の効果はあるが、先端のドライバーの棒を保持部に固定するデザインであるため、手道具の長さが長く、収納しづらい。また、ドライバーの棒に不当な力を施すと、接続部分が破壊しやすいうえ、ドライバーの棒はほぼ金属で作られているため、作業中、不当な力を入れる、或いは他の要素によりドライバーの棒の先端がくぼむ、或いは彎曲すると、ドライバーのヘッドを設置できない、或いは使用時にかなりの困難が生じるなど、該手道具は壊れたのも同然となる。過去に発生した職務中の災害の中で、手道具の不当な使用による傷害が多い。手道具のドライバーの棒はかなりの長さを具有し、収納時はドライバーヘッドを取り外すが、転倒或いは管理不十分により、ドライバーの棒がユーザーを傷つけることがある。かつてはドライバーの棒による目を失明させた案例もある。以上の状況を鑑みて、組立て便利に使用でき、未使用時はドライバーの棒を隠して収納できる手道具を案出する必要がある。
【特許文献１】台湾特許申請案第Ｍ５４２０５８号公報
【特許文献２】特開２０００−１５８３５１号公報
【考案の開示】
【考案が解決しようとする課題】
【０００５】
本考案の主な目的は、従来技術の手道具組立及び収納方法の不便或いは危険性を伴う問題を改善した、収納機能付きの手道具を提供することにある。
【課題を解決するための手段】
【０００６】
上述の問題を解決するために、本考案は収納機能付き手道具を提供するものであり、保持部、駆動部及び固定部で構成されたものである。該保持部の軸方向に収納スペースを設け、該駆動部を収納スペースに入れることができる。該保持部の底部に溝を設置し、蓋及び弾性体を具有する封鎖部は溝を介し、保持部に組み立てる。該封鎖部の弾性体は溝及び蓋の間に位置するため、蓋と溝は密閉せず、やや隙間が開いている。駆動部を収納する際、該蓋と駆動ヘッドが接触するため、蓋を押すと、同時に駆動部を押して取り出すことができ、力を加えないと、蓋は弾性体の作用により、元の位置に戻る。
【０００７】
該駆動部は長い棒の形状であり、片端はD字型形態の駆動ヘッドであり、別端は六角形の制止部を具有する。制止部に軸方向の内側に収納槽を設け、該収納槽は別の駆動部の駆動ヘッドと嵌合することができる。また、駆動部の駆動ヘッドから制止部までの間は棒の形状であり、制止部の直径は駆動ヘッド及び棒よりも太い。
【０００８】
該固定部を保持部の収納スペース内に設置し、固定部品及び阻止部を具有する。該固定部品はドーナツ型の形状である。ドーナツ型の穴の直径は制止部よりも小さく、駆動ヘッド及び棒よりも大きい。該阻止部は保持部の固定部品に隣接している収納孔内に設置し、一対のスチールボール及びその間に設置する弾性部品を具有する。該弾性部品の生じる力により、スチールボールは保持部の内側にやや露出することで、スチールボールが収納スペース方向に圧迫する力が生じる。
【０００９】
本体は使用する際、制止部が固定部で停止することで、本体が使用できる状態となる。収納する際、駆動ヘッド及び棒は固定部の穴を通り抜け、制止部が固定部で止まるまで差し込むことができる。また該阻止部は弾性部品を利用し、スチールボールが駆動部を圧迫するため、駆動部の位置を固定し、外れるのを防止する。収納する際、駆動部の駆動ヘッドが保持部の蓋と接触するため、蓋を押すと駆動部が阻止部から外れ、スムーズに駆動部を取り出すことができる。
【考案の効果】
【００１０】
本考案は便利に組み立てられ、未使用の時は駆動部を保持部内に収納できるなど、危険性を伴う問題を改善した上、駆動部を外すときも蓋を押すだけで簡単に取り出すことができる。
【考案を実施するための最良の形態】
【００１１】
本考案による好適な収納機能付きの手道具の構造の実施例を明確に示すために図に沿って詳細な説明を行う。
図１及び図２に示すのは第一実施例で、収納機能付き手道具の本体(1)は保持部(2)、駆動部(3)及び固定部(4)を含む。該保持部(2)は軸方向の内側に収納スペース(21)を設け、該駆動部(3)を収納スペース(21)に収納することができる。保持部(2)の中央はやや内側に窪む形を形成し、使用者（ユーザー）がよりしっかりと握れる形状である。該保持部(2)の底部に溝(23)を設置し、蓋(221)及び弾性体(222)を具有する封鎖部(22)は溝(23)を介し、保持部に組み立てる。該封鎖部(22)の弾性体(222)は溝(23)及び蓋(221)の間に位置するため、蓋(221)と溝(23)は密閉せず、やや隙間が開いている。駆動部(3)を収納する際、該蓋(221)は駆動ヘッド(31)と接触するため、蓋(221)を押すと、同時に駆動部(3)を押すことができ、力を加えなければ、蓋(221)は弾性体(222)の作用により、元の位置に戻る。
【００１２】
該駆動部(3)は長い棒の形状を呈し、片端はD字型形態の駆動ヘッド(31)を具有し、別端は六角形の制止部(32)を具有し、該制止部(32)は軸方向の内側に収納槽(33)を設置する。該収納槽(33)は別の駆動部(3)の駆動ヘッド(31)と嵌合することができる。駆動部(3)の駆動ヘッド(31)から制止部(32)の間は棒(34)の形状であり、制止部(32)の直径は駆動ヘッド(31)及び棒(34)より大きい。
【００１３】
該固定部(4)を保持部(2)の収納スペース(21)内に設置し、固定部品(41)及び阻止部(42)を具有する。該固定部品(41)はドーナツ状を呈し、ドーナツ状の穴(411)は、収納スペース(21)と相通じる。該穴(411)の直径は制止部(32)より小さく、駆動ヘッド(31)及び棒(34)より大きい。該阻止部(42)は保持部(2)の固定部品(41)に隣接している収納孔(24)内に設置し、一対のスチールボール(422)及びその間に設置する弾性部品(421)を具有する。該収納孔(24)の開口直径はスチールボール(422)の直径よりやや小さいため、二つのスチールボール(422)を収納孔(24)内に設置し、ボール(422)の間に弾性部品(421)を設置することで、弾性部品(421)が両側のスチールボール(422)を押し、一つのスチールボール(422)は保持部(2)の外側に、もう一つのスチールボール(422)は保持部(2)の内側にやや露出する。
【００１４】
図３〜図５が示すのは、本考案の第一実施例の使用状態である。ユーザーが駆動部(3)の制止部(32)を保持部(2)の収納スペース(21)にセットするとき、制止部(32)の直径は固定部(4)の固定部品(41)の穴(411)より大きいため、駆動部(3)の制止部(32)は固定部品(41)で止まる。このとき、該阻止部(42)は図3及び図4に示すように、駆動部(3)を入れる前、阻止部(42)のスチールボール(422)は弾性部品(421)により、保持部(2)の内側に露出するが、駆動部(3)を入れた後、駆動部(3)がスチールボール(422)を圧迫するため、もう一つのスチールボール(422)の方向に移動する。相対的にスチールボール(422)は弾性部品(421)の力を受けて駆動部(3)を圧迫することで、駆動部(3)は固定されて抜けにくくなる。このとき本体(1)の状態は図５に示すように、駆動部(3)は固定部(4)によって固定されているため、本体(1)の保持部(2)を保持し、駆動ヘッド(31)で作業をすることができる。
【００１５】
図６〜図８に示すのは、ユーザーが駆動部(3)の駆動ヘッド(31)を保持部(2)の収納スペース(21)に収納する際、駆動ヘッド(31)及び棒(34)の直径は固定部(4)の固定部品(41)の穴(411)より小さいため、駆動部(3)はスムーズに穴(411)を通り抜け、制止部(32)が固定部品(41)に当たるまで差し込むことができる。このとき駆動ヘッド(31)は封鎖部(22)と接触し、制止部(32)は完全に収納スペース(21)内に収納できて露出しない。図6及び図7の示すように、駆動部(3)を完全に収納スペース(21)の中に入れたとき、阻止部(42)のスチールボール(422)は弾性部品(421)の力を受けて駆動部(3)を圧迫するため、駆動部(3)は固定されて抜けにくい。このとき本体(1)は駆動部(3)を収納した状態となっている。駆動部(3)の駆動ヘッド(31)は保持部(2)の底部にある蓋(221)と接触し、該蓋(221)は弾性体(222)の力により、保持部(2)の溝(23)と密閉せず、やや隙間が開いている。よって、蓋(221)を押すと、同時に駆動部(3)を収納スペース(21)より外側に押し出し、阻止部(42)の内側のスチールボール(422)は外側のスチールボール(422)の方向に移動し、圧迫状態から解放するため、スムーズに駆動部(3)を取り出すことができる。
【００１６】
図９〜図１１に示すのは、本考案の収納機能付き手道具の別の実施例である。主な部品は第一実施例と同じであるため説明を省略し、ここでは第一実施例と異なる構造のみ説明する。
本考案の第二実施例は、図９に示すように、該駆動部(3)の片端にある収納槽(33)は、別の駆動部(3)の駆動ヘッド(31)をセットし、延伸して使用することができる。
本考案の第三実施例は、図１０に示すように、該駆動部(3)の駆動ヘッド(31)はマイナスの駆動ヘッド(31)をセットすることができる。
本考案の第四実施例は、図１１に示すように、該駆動部(3)の駆動ヘッド(31)は、プラスの駆動ヘッド(31)をセットすることができる。
【００１７】
これらの使用方法で分かるように、該本体(1)は駆動部(3)の制止部(32)が固定部品(41)にて固定することで、本体(1)が使用できる状態になる。駆動部(3)の駆動ヘッド(31)及び棒(34)は固定部品(41)の穴(411)を通り抜け、制止部(32)が固定部品(41)に当たるまで差し込むと、駆動部(3)を本体(1)の保持部(2)内に収納する状態となる。該阻止部(42)は弾性部品(421)の力により、スチールボール(422)が駆動部(3)に圧迫することで、その位置を固定して抜けなくなる。収納状態の場合、駆動部(3)の駆動ヘッド(31)は保持部(2)底部にある蓋(221)と接触するため、蓋(221)を押すと同時に駆動部(3)を収納スペース(21)より外側に押し出し、阻止部(42)の内側のスチールボール(422)は外側のスチールボール(422)の方向に移動し、圧迫状態から解放されるため、スムーズに駆動部(3)を取り出すことができる。本考案の組み立ては大変便利であり、駆動部(3)を保持部(2)の内部に収納するため、安全である。
【００１８】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【図面の簡単な説明】
【００１９】
【図１】本考案の実施例の各部位の部品立体分解略図である。
【図２】本考案の実施例の立体外観略図である。
【図３】本考案の実施例の使用状態の断面略図である。
【図４】本考案の実施例の使用状態の断面略図である。
【図５】本考案の実施例の使用状態の立体外観略図である。
【図６】本考案の実施例の収納状態の断面略図である。
【図７】本考案の実施例の収納状態の断面略図である。
【図８】本考案の実施例の収納状態の立体外観略図である。
【図９】本考案の第二実施例の斜視略図である。
【図１０】本考案の第三実施例の斜視略図である。
【図１１】本考案の第四実施例の斜視略図である。
【符号の説明】
【００２０】
1. 本体
2. 保持部
21 収納スペース
22 封鎖部
221   蓋
222   弾性体
23 溝
24 (阻止部の)収納孔
3  駆動部
31 駆動ヘッド
32 制止部
33 収納槽
34 棒
4  固定部
41 固定部品
411   穴
42 阻止部
421   弾性部品
422   スチールボール
【図１】
0003136002.tif 000003
【図２】
0003136002.tif 000004
【図３】
0003136002.tif 000005
【図４】
0003136002.tif 000006
【図５】
0003136002.tif 000007
【図６】
0003136002.tif 000008
【図７】
0003136002.tif 000009
【図８】
0003136002.tif 000010
【図９】
0003136002.tif 000011
【図１０】
0003136002.tif 000012
【図１１】
0003136002.tif 000013